(57)【要約】【課題】  従来の節水対策機構（構造）は、節水が図れる。しかし、共通した問題点として、廃水と上水を、同時に使用する構造でないので、タンク内が、雨水、洗濯水等の廃水のみとなる場合があり、手洗い台、トイレ用タンク、便器の滑り、場合により異臭とか、腐敗、又は洗浄排水口の詰りの問題が考えられ、改良の余地がある。また、ボールタップの損傷と、タンク内部の金属の腐蝕発生等の問題も考えられる。【解決手段】  本発明は、水洗トイレの手洗い台にセンサを配備し、センサで手洗い管からの流水を検知し、この検知で、廃水用タンクに連繋したポンプを作動し、水洗トイレのタンク内に、上水の略半分の廃水を充填する構成とした水洗トイレの節水対策装置であり、節水と、廃水を有効利用できる構成とした水洗トイレの節水対策装置である。【選択図】      図１
2010270500.tif 000002
【特許請求の範囲】
【請求項１】
水洗トイレの手洗い台にセンサを配備し、このセンサで手洗い管からの流水を検知し、この検知で、雨水、風呂水等の廃水用タンクに連繋したポンプを作動し、水洗トイレのタンク内に、この廃水を充填する構成とした水洗トイレの節水対策装置において、
前記センサは、手洗い台の対峙する立上壁面に設けた発光素子と、受光素子とからなるとともに、このセンサを、着脱自在、又は移動可能に設け、このセンサで流水を検知し、この検知に基いて、当該受光素子からの指令を制御盤に入力し、この制御盤から、前記ポンプに指令を出し、このポンプを駆動し、前記廃水を前記水洗トイレに給水する構成とした水洗トイレの節水対策装置。
【請求項２】
請求項１に記載の水洗トイレの節水対策装置であって、
前記センサを、手洗い台の短手方向の立上壁面に挾持具で設け、この挾持具の操作を介して、当該センサを、前記手洗い台の短手方向において、移動可能に設ける構造とした水洗トイレの節水対策装置。
【請求項３】
請求項１に記載の水洗トイレの節水対策装置であって、
前記センサを、手洗い台の短手方向の立上壁面に設け、廃水を検知する構造とし、かつ飛沫が付着しない構造とした水洗トイレの節水対策装置。
【請求項４】
請求項１に記載の水洗トイレの節水対策装置であって、
前記センサで手洗い管からの流水を検知し、この検知に基いて、ポンプを作動し、廃水を水洗トイレのタンクに給水する構造であって、上水の給水後に、廃水を給水し、この廃水による前記手洗い台内面の滑りを無くす構造とした水洗トイレの節水対策装置。
【発明の詳細な説明】
【技術分野】
【０００１】
本発明は、水洗トイレの節水対策装置に関する。
【背景技術】
【０００２】
従来、水洗トイレの節水対策装置として、多数の先行文献が挙げられるので、その概要を説明する。
【０００３】
文献（１）は、特開２００４−１３２１６１の「家庭用バスポンプ等を利用して、トイレロータタンクへ浴槽残り湯を給水する為の装置の構造」である。この発明は、浴槽の残り湯をトイレロータタンクへ送水することによりトイレの節水を促す設備に関する。このトイレロータタンク内の水位がフロートスイッチの設定水位に達すると、フロートスイッチの作用により、ポンプの電源を遮断することによって送水作業を停止する。即ち、フロートスイッチの作用による停止である。従って、この文献（１）は、浴槽残り湯と上水の同時、給水はなく、選択的な使用であり、操作が厄介であることと、明細書［０００４］に記載の如く、浴槽の残り湯の送水用の管の取付け、取外しがあり不便である。
【０００４】
また、文献（２）は、特開２００１−２１２１０の「節水ユニット及び節水給湯・追焚システム」である。この発明は、トイレ洗浄や洗濯に浴槽内残水を再利用する節水ユニット及び節水給湯・追焚システムに関する。ロータンク側の開閉弁は、時限止水装置（フロートスイッチ）で作動するが、ロータンクが所定の水位に到達したとき、給水を停止する。また、この給水停止は、給水量を演算し、所定量に到達したかどうかを判定する。従って、この文献（２）は、浴槽内残水と上水の同時、給水はなく、明細書［００５３］に記載の如く、上水の次に、浴槽内残水が供給される。
【０００５】
また、文献（３）は、特開平１１−２４７２５４・特開平１１−２４７２４４の「雑用水利用装置」である。この発明は、浴槽内の残り湯（浴槽水）を、水洗トイレの貯水タンク内に送り、この水洗トイレの流し水に利用して節水する。水洗トイレの貯水タンク内の水が所定水位になると給水を停止する自動止水装置と、上水を供給する上水供給路での通水を検出する通水検出手段を備える。尚、給水の自動止水装置は、貯水タンク内のボールタップである。従って、この文献（３）は、浴槽水と上水の同時に、一時的に給水するが、［００２０］に記載の如く、浴槽水の供給は、所定水位になる前に停止し、その後に、上水を補足する。
【０００６】
そして、文献（４）は、特開２００５−３４４４９０の「トイレ用節水装置」である。この発明は、トイレ洗浄水タンクの水位が低下すると，浴槽内の残り水がポンプによって洗浄水タンクへ送り、トイレの洗浄水として再利用する。トイレ洗浄水タンクに設けた水位センサで、浴槽内のポンプを作動し、トイレ洗浄水タンクに給水する。従って、この文献（４）は、浴槽内の残り水と上水の同時、給水はなく、明細書［０００９］に記載の如く、浴槽水と上水を選択使用する。
【０００７】
また、文献（５）は、特開２００６−８３６１７の「水再利用装置」である。この発明は、洗濯排水、洗面排水、浴室排水、台所排水といった生活排水を、浄化槽で浄化処理し、この浄化排水を、トイレの洗浄水などに再利用する。再利用水槽本体の貯水室に設けた水位センサで、給水ポンプを制御し、浄化排水をトイレの洗浄水タンクに給水か、又は給水停止を図る構造である。また、この給水ポンプは、説明はないが、洗浄水タンクのフロートスイッチで、オン・オフされるものと考えられる。従って、こみの文献（５）は、生活排水と上水の同時、給水はなく、明細書［００１９］に記載の如く、生活排水と上水の選択使用である。
【０００８】
さらに、文献（６）は、特開２００６−２９９７７０の「水道の水流で風呂水をトイレ用水に再利用する装置」である。この発明は、トイレのタンクに設けたフロートスイッチを利用し、風呂水と上水の給水・停止を図る構造である。従って、文献（６）は、風呂水と上水の同時、給水はなく、［要約］に記載の如く、風呂水が無くなった場合に、上水を使用する。
【０００９】
文献（７）は、実用新案登録第３０２３１４０号の「風呂残り湯または雨水の有効利用システム」である。この考案は、風呂の残り湯、雨水を、洗濯やトイレ水として有効に使用できるシステムであり、貯水タンクへの給水・停止を、ポンプの起動・停止、及び、手動スイッチと、貯水タンクの水位を検知する水位センサで行い。この貯水タンクの残り湯が無くなった場合は、上水を供給する構造である。従って、文献（７）は、風呂の残り湯、雨水と上水を、同時に使用する構造でない。そして、貯水タンクの水に左右されることから、上水の使用がランダムとなって、手洗いの使用に問題を残すことが考えられる。
【００１０】
また、文献（８）は、実用新案登録第３０６５２７１号の「雨水流出抑制再利用施設」である。この考案は、雨水をトイレの水として再利用を図った雨水流出抑制再利用施設である。そして、説明、図示はないが、トイレのタンクに設けたフロートスイッチを利用し、雨水と上水の給水・停止を図る構造である。従って、この考案は、雨水と上水を、同時に使用する構造でない。そして、明細書に記載の如く、この雨水流出抑制再利用施設内の雨水に依存することから、上水の使用がランダムとなって、手洗いの使用に問題を残すことが考えられる。
【特許文献１】特開２００４−１３２１６１
【特許文献２】特開２００１−２１２１０
【特許文献３】特開平１１−２４７２５４・特開平１１−２４７２４４
【特許文献４】特開２００５−３４４４９０
【特許文献５】特開２００６−８３６１７
【特許文献６】特開２００６−２９９７７０
【特許文献７】実用新案登録第３０２３１４０号
【特許文献８】実用新案登録第３０６５２７１号
【発明の概要】
【発明が解決しようとする課題】
【００１１】
前述した文献（１）〜文献（８）において、節水が図れる特徴はある。しかし、共通した問題点として、廃水（雨水等）と上水を、同時に使用する構造でないので、水洗トイレのタンク内が、雨水、洗濯残水か、又は浴槽内残水（廃水とする）のみとなる場合があり、手洗い台、タンク、又は便器の滑り、場合により異臭とか、腐敗、又は洗浄排水口の詰りの問題が考えられ、改良の余地がある。そして、また、ボールタップの損傷と、前記タンク内部の金属の腐蝕発生等の問題も考えられる。
【００１２】
また、この文献（１）〜文献（８）において、廃水と上水の切替に、センサ、切替弁、又はタイマー、複雑な制御機構等を必要とすることから、構造の複雑化と、コストの上昇とか、保守管理の複雑化を招来し、その改良が望まれる処である。
【課題を解決するための手段】
【００１３】
請求項１の発明は、廃水を有効利用し、節水を図ること、又は水洗トイレのタンク内には、上水で希釈された廃水が存在することで、タンク内・便器の滑り、場合により異臭とか、腐敗、又は洗浄排水口の詰りの問題を解消すること等を意図する。そして、また、請求項１の発明は、ボールタップの損傷と、タンク内部の金属の腐蝕発生等の問題も解消することを意図する。尚、この請求項１の発明は、手洗い台の対峙する立上壁面に設けたセンサ（第二センサとする）と、タンク内のボールタップ構造のセンサ（第一センサとする）で、給水を図ることで、確実な給水を可能とし、又は第二センサが作動しなくても、確実な給水と、トイレの使用を図ること等を意図する。
【００１４】
請求項１は、水洗トイレの手洗い台にセンサを配備し、このセンサ（第二センサ）で手洗い管からの流水を検知し、この検知で、雨水、風呂水等の廃水用タンクに連繋したポンプを作動し、水洗トイレのタンク内に、この廃水を充填する構成とした水洗トイレの節水対策装置において、
前記センサは、手洗い台の対峙する立上壁面に設けた発光素子と、受光素子とからなるとともに、このセンサを、着脱自在、又は移動可能に設け、このセンサで流水を検知し、この検知に基いて、当該受光素子からの指令を制御盤に入力し、この制御盤から、前記ポンプに指令を出し、このポンプを駆動し、前記廃水を前記水洗トイレに給水する構成とした水洗トイレの節水対策装置である。
【００１５】
請求項２の発明は、請求項１の目的を達成すること、この目的を達成するに最適な、第二センサの取付け冶具を提供すること等を意図する。
【００１６】
請求項２は、請求項１に記載の水洗トイレの節水対策装置であって、
前記センサ（第二センサ）を、手洗い台の短手方向の立上壁面に挾持具で設け、この挾持具の操作を介して、当該センサを、前記手洗い台の短手方向において、移動可能に設ける構造とした水洗トイレの節水対策装置である。
【００１７】
請求項３の発明は、請求項１の目的を達成すること、この目的を達成するに最適な、第二センサを取付けるのに最適な位置（箇所）を提供すること等を意図する。
【００１８】
請求項３は、請求項１に記載の水洗トイレの節水対策装置であって、
前記センサ（第二センサ）を、手洗い台の短手方向の立上壁面に設け、廃水を検知する構造とし、かつ飛沫が付着しない構造とした水洗トイレの節水対策装置である。
【００１９】
請求項４の発明は、請求項１の目的を達成すること、この目的を達成するに最適な、第二センサの制御で、ポンプ等の給水機構を働かせる構造を提供すること等を意図する。
【００２０】
請求項４は、請求項１に記載の水洗トイレの節水対策装置であって、
前記センサ（第二センサ）で手洗い管からの流水を検知し、この検知に基いて、ポンプを作動し、廃水を水洗トイレのタンクに給水する構造であって、上水の給水後に、廃水を給水し、この廃水による前記手洗い台内面の滑りを無くす構造とした水洗トイレの節水対策装置である。
【発明の効果】
【００２１】
請求項１の発明は、水洗トイレの手洗い台にセンサを配備し、センサ（第二センサ）で手洗い管からの流水を検知し、検知で、雨水、風呂水等の廃水用タンクに連繋したポンプを作動し、水洗トイレのタンク内に、廃水を充填する構成とした水洗トイレの節水対策装置において、
センサは、手洗い台の対峙する立上壁面に設けた発光素子と、受光素子とからなるとともに、センサを、着脱自在、又は移動可能に設け、センサで流水を検知し、検知に基いて、受光素子からの指令を制御盤に入力し、制御盤から、ポンプに指令を出し、ポンプを駆動し、廃水を前記水洗トイレに給水する構成とした水洗トイレの節水対策装置である。
【００２２】
従って、請求項１は、廃水を有効利用し、節水が図れること、又は水洗トイレのタンク内には、上水で希釈された廃水が存在することで、タンク内・便器の滑り、場合により異臭とか、腐敗、又は洗浄排水口の詰りの問題を解消できること等の特徴がある。そして、また、請求項１は、ボールタップの損傷と、タンク内部の金属の腐蝕発生等の問題も解消できる実益がある。尚、この請求項１は、手洗い台の対峙する立上壁面に設けたセンサ（第二センサとする）と、タンク内のボールタップ構造のセンサ（第一センサとする）で、給水を図ることで、確実な給水を可能とし、又は第二センサが作動しなくても、確実な給水と、トイレの使用が図れること等の利点がある。
【００２３】
請求項２の発明は、請求項１に記載の水洗トイレの節水対策装置であって、
センサ（第二センサ）を、手洗い台の短手方向の立上壁面に挾持具で設け、挾持具の操作を介して、センサを、手洗い台の短手方向において、移動可能に設ける構造とした水洗トイレの節水対策装置である。
【００２４】
従って、請求項２は、請求項１の目的を達成できること、この目的を達成するに最適な、第二センサの取付け冶具を提供できること等の特徴を有する。
【００２５】
請求項３の発明は、請求項１に記載の水洗トイレの節水対策装置であって、
センサ（第二センサ）を、手洗い台の短手方向の立上壁面に設け、廃水を検知する構造とし、かつ飛沫が付着しない構造とした水洗トイレの節水対策装置である。
【００２６】
従って、請求項３は、請求項１の目的を達成できること、この目的を達成するに最適な、第二センサの取付けるのに最適な位置（箇所）を提供できること等の特徴を有する。
【００２７】
請求項４は、請求項１に記載の水洗トイレの節水対策装置であって、
センサ（第二センサ）で手洗い管からの流水を検知し、検知に基いて、ポンプを作動し、廃水を水洗トイレのタンクに給水する構造であって、上水の給水後に、廃水を給水し、廃水による手洗い台内面の滑りを無くす構造とした水洗トイレの節水対策装置である。
【００２８】
従って、請求項４は、請求項１の目的を達成できること、この目的を達成するに最適な、第二センサの制御で、ポンプ等の給水機構を働かせる構造を提供できること等の特徴を有する。
【図面の簡単な説明】
【００２９】
【図１】本発明の水洗トイレの節水対策装置を設置した建屋の模式外観図
【図２】トイレの手洗い台と便器の一例を示した正面図
【図３】本発明の水洗トイレの節水対策装置の概要を示した模式図
【図４】制御盤の一例を示した拡大模式平面図
【図５−１】挾持具を介して、手洗い台の対峙する立上壁面にセンサを設置した一例をしめした拡大俯瞰図
【図５−２】挾持具とセンサとの関係の一例を示した拡大俯瞰図
【図５−３】挾持具とセンサとの関係の他の一例を示した拡大俯瞰図
【図６】水栓制御装置の拡大断面模式図
【発明を実施するための形態】
【００３０】
図１は本発明の水洗トイレの節水対策装置を設置した建屋の外観図、図２はトイレの手洗い台と便器の一例を示した斜視図、図３は本発明の水洗トイレの節水対策装置の概要を示した模式図、図４は制御盤の一例を示した拡大正面図、図５−１は挾持具を介して、手洗い台の対峙する立上壁面にセンサを設置した一例をしめした拡大俯瞰図、図５−２は挾持具とセンサとの関係の一例を示した拡大俯瞰図、また、図５−３は挾持具とセンサとの関係の他の一例を示した拡大俯瞰図、図６は水栓制御装置の拡大断面模式図である。
【００３１】
図中１は水洗トイレＣの手洗い台Ｃ１に配備した第二センサで、この第二センサ１は、手洗い台Ｃ１の一方の立上壁面Ｃ１０の短手方向Ｘに設けた発光部を有する発光素子１００と、これに対峙する他方の立上壁面Ｃ１１の短手方向Ｘ１に設けた受光部と指令部を有する受光素子１０１で構成する。この発光素子１００から、受光素子１０１に向かって、光線（赤外線）を発する構造であり、この光りが、手洗い台Ｃ１の手洗い管Ｃ２０（吐出管）より流下する流水Ａで、遮断された場合（検知された場合）に、指令部より後述するポンプ２を稼動する指令を発する。勿論、図示しない手等で遮断された場合も同様である。但し、この場合には、後述するトイレ用タンクＣ４０のボールタップと制御盤５の判定部とで、連動する構造とすることが望ましい（溢出防止である）。尚、Ｙは手洗い台Ｃ１の立上壁面Ｃ１２の長手方向で、この長手方向Ｙに倣って光りが発せられる。また、前記発光素子１００と、受光素子１０１の範疇には、他の構造でもよく、例えば、発光素子１００の光りを、反射板を介して、この発光素子１００に付設した受光部でキャッチし、この検知を、後述するように、この発光素子１００に付設した指令部から指令が発し、この指令を制御盤５に入力する構造も可能である。
【００３２】
この第二センサ１（発光素子１００と、受光素子１０１）は、図５−１〜図５−３に示した構造があり、例えば、図５−１と、図５−２では、側面視して、鍵形の挾持具３の上に第二センサ１を設ける構造であり、この挾持具３と図示しない止め具を利用して、立上壁面Ｃ１０と立上壁面Ｃ１１の短手方向Ｘ、Ｘ１の適所に、着脱自在に設けられるが、流水Ａを検知できる箇所にセットする。そして、この挾持具３を移動可能に設けることで、大小、形状等の異なる手洗い台Ｃ１とか、高低、形状等の異なる立上壁面Ｃ１０等、又は曲り角度、形状等の異なる手洗い管Ｃ２０、或いは流水量・方向等に対応できる構造とする。そして、また、図５−３では、挾持具３の天板部３００にガイド３０１を設け、このガイド３０１に添って、第二センサ１が移動できる構造とし、立上壁面Ｃ１０等の短手方向Ｘ、Ｘ１の方向に自由に移動可能とし、前述した大小、形状等の異なる手洗い台Ｃ１等に随時対応可能とする。尚、図５−３の例においても、第二センサ１の位置を、図示しない止め具で固定する。
【００３３】
そして、図３の如く、第二センサ１と、制御盤５と、ポンプ２とをケーブル６を介して連繋する。また、廃水用のタンク７に接続したポンプ２を、手洗い台Ｃ１の水受け面Ｃ３０に臨ませるか、トイレ用タンクＣ４０（水洗トイレのタンク）に臨ませる。尚、ポンプ２を、ホース８の途中に設け、タンク７に連設する構成、又はポンプ２を、ホース８の先端に設け、タンク７内に浸漬する構成等が考えられる。この各構成は、タンク７の屋内外における設置場所、又はタンク７と水洗トイレＣとの距離（例えば、屋外設置式タンク７）と、水洗トイレＣの手洗い台Ｃ１の水の吸込み孔、又はポンプ２の容量等を考慮して選択する。そして、水受け面Ｃ３０に臨ませた場合には、目視できる特徴と、手洗い水として有効利用できる特徴等を有する。また、トイレ用タンクＣ４０に臨ませた場合には、上水としての感覚を維持でき、また、違和感の解消に役立ち重宝する。
【００３４】
この第二センサ１を備えた水洗トイレＣの手洗い台Ｃ１、ポンプ２、並びに制御盤５の作用及び／又は構造において、説明する。例えば、この手洗い台Ｃ１のコック（図示せず）を操作すると、手洗い管Ｃ２０から流水Ａし、この流水Ａで第二センサ１の光りが遮断され場合には、この遮断により第二センサ１の受光素子１０１の指令部から、遮断されたとの指令が発せられ、この指令が制御盤５に入力される。この制御盤５の判定部で判定処理した後、当該制御盤５からポンプ２に指令が至り、このポンプ２が稼働し、タンク７の雨水、風呂水等の廃水（以下、廃水とする）はホース８を介して、手洗い台Ｃの水受け面Ｃ３０か、又はトイレ用タンクＣ４０に給水される。そして、所定の給水が終了し、トイレ用タンクＣ４０の水位が所定位置（ボールタップ「第一センサ」が停止位置に戻る）の僅か手前になると、この指令が制御盤５に伝わり、電磁バルブが作用して、手洗い管Ｃ２０から流水停止と、かつポンプ２が停止される。その後、手洗い管Ｃ２０内の残り水及び／又はホース８の残り水が、トイレ用タンクＣ４０に給水されて終了し、かつトイレ用タンクＣ４０は所定水位となる。従って、上水の略半分を、廃水で補填できる特徴と、有効な節水できること、又は手洗い台Ｃ１、トイレ用タンクＣ４０、又は便器Ｃ５０等の汚れ、詰り防止とか、滑り防止、或いは清掃回数の増加防止等に有効であること等の実益がある。そして、また、第二センサの損傷と、トイレ用タンクＣ４０内部に付設されている金属の腐蝕発生等の防止も図れる。
【００３５】
また、流水Ａが停止された場合で、トイレ用タンクＣ４０の水位が所定位置に至らないときには、特例として、制御盤５に設けた給水継続との指令部があり、この時には、この水位が所定位置になるまで、廃水の供給が継続される構造も備えている。従って、前述と同様に、廃水の給水が行われ、トイレ用タンクＣ４０の水位が回復すると（ボールタップが停止位置に戻る）、ポンプ２が停止し、この給水は停止される。この例では、上水の停止時と、故障、緊急時（断水時）、又はその他のトラブルに役立ち有益である。
【００３６】
その他として、第二センサ１が手等による遮断され場合には、この遮断により第二センサ１の受光素子１０１の指令部から指令が発せられ、この指令が制御盤５に入力されるが、トイレ用タンクＣ４０の水位が所定位置にある場合には、この制御盤５に設けた判定部で、ポンプ２への指令が出ず、手洗い管Ｃ２０から流水Ａと、廃水の供給は行われない。そして、何れの場合においても、トイレ用タンクＣ４０の水位が所定位置にある場合には、全ての給水は行われず、溢出防止と、安全性が確保されており、従来と同様に有益である。
【００３７】
また、廃水の水量が無い場合は、風呂水、洗濯水、他の貯留タンク等の廃水を、順次、又は選択的に流用する手段と、これらの各廃水を併用する手段も可能である。いずれにしても、各廃水を有益に利用できる。
【００３８】
そして、また、手洗い管Ｃ２０からの流水量を、バルブの絞りで、少量とする構成では、上水の使用量に対し、廃水の使用量を大量とすることが可能となり、この上水の節水に有効である。この手洗い管Ｃ２０からの流水量の絞りは、図示しない、手洗い管Ｃ２０（水栓制御装置）に設けた電磁片１０と、制御部１１を利用して行う構成である。その一例を、図６の水栓制御装置の拡大断面模式図を基に説明すると、上水は、配管１２を介して、手洗い管Ｃ２０に至るが、この配管１２中に、定流量弁１３と止水弁１５を設け、制御部１１に対する指令で、これらの電磁片１０を調整し（必要により、手動操作の定流量弁１３、又は止水弁１５の調整も含めることもあり得る）、この上水の流水量を制御する構造である。
【符号の説明】
【００３９】
１          第二センサ
１００      発光素子
１０１      受光素子
２          ポンプ
３          挾持具
３００      天板部
３０１      ガイド
５          制御盤
６          ケーブル
７          タンク
８          ホース
１０        電磁片
１１        制御部
１２        配管
１３        定流量弁
１５        止水弁
Ａ          流水
Ｃ          水洗トイレ
Ｃ１        手洗い台
Ｃ１０      立上壁面
Ｃ１１      立上壁面
Ｃ１２      立上壁面
Ｃ２０      手洗い管
Ｃ３０      水受け面
Ｃ４０      トイレ用タンク
Ｃ５０      便器
Ｘ          短手方向
Ｘ１        短手方向
Ｙ          長手方向
【図１】
2010270500.tif 000003
【図２】
2010270500.tif 000004
【図３】
2010270500.tif 000005
【図４】
2010270500.tif 000006
【図５−１】
2010270500.tif 000007
【図５−２】
2010270500.tif 000008
【図５−３】
2010270500.tif 000009
【図６】
2010270500.tif 000010